(57)【特許請求の範囲】
【請求項１】
容器塗布具組合せ品であって、
頂表面と底表面および第１端部と第２端部とを有する容器を含み、
前記頂表面および前記底表面は少なくとも手の親指を受け入れるのに十分なサイズの表面積を画定する長さと幅の寸法を有する少なくとも１つの柔軟なシート状部材を含み、これによって前記容器を手の親指と他の指との間で掴むことができ、この少なくとも１つの柔軟なシート状部材は融合されて浅い空洞を画定しており、
前記の長さと幅の寸法は、前記頂表面と前記底表面との間の厚さ寸法より実質的に大きくて、比較的薄い外観を画定し、
前記容器は前記第２端部に位置する破れ易い封止手段を含む分配出口を含み、容器塗布具組合せ品は、さらに
前記容器に取り付けられて統合され、これと共に１つの一体構造を画定する塗布具を含み、
前記塗布具は、
第１翼および第２翼を含み、前記翼の各々は前記容器の前記第２端部に取り付けられて統合され、前記第２端部から外向きに延び、広い円弧にわたって互いに反対方向に旋回して広げられて離れ、
前記第１翼は前記分配出口の片側に位置し、前記第２翼は前記分配出口の反対側に位置し、
前記第１翼は前記分配出口に対して下側表面上に塗布具表面を画定し、前記第２翼は前記分配出口に対して上側表面上に塗布具表面を画定する、
容器塗布具組合せ品。
【請求項２】
前記容器の前記頂表面と前記第１翼が、第１および第２の横方向離間部分を含み、前記容器の前記底表面と前記第２翼が、第１および第２の横方向離間部分を含む請求項１に記載の発明品。
【請求項３】
前記浅い空洞と、前記第２端部との間に、前記破れ易い封止手段が配置されている請求項１に記載の発明品。
【請求項４】
前記第１翼は常態では、本質的に前記分配出口の軸に平行に向けられた保管位置に配置され、前記分配出口軸に対して第１回転方向に少なくとも９０度旋回可能であり、
前記第２翼は常態では、本質的に前記分配出口の軸に平行に向けられた保管位置に配置され、前記分配出口軸に対して第２回転方向に少なくとも９０度旋回可能であり、前記第２回転方向は前記第１回転方向に対して逆であり、これによって前記塗布具表面を開いて離し、前記分配出口軸から離れる方向に向けることができ、前記塗布具表面を表面に沿って動かすために前記容器を少なくとも片手の親指と他の指との間で掴むことができる
請求項２に記載の発明品。
【請求項５】
前記破れ易い封止手段は、常態では前記出口を閉じたままに維持し、前記容器に加えられる所定の圧力に応じて前記出口を開くようになっている請求項１に記載の発明品。
【請求項６】
前記破れ易い封止手段は、前記翼を互いに反対の方向に引っ張ることによって加えられる力に応動するようになっている請求項１に記載の発明品。
【請求項７】
前記第１翼の旋回動作を高めるための、前記第１柔軟なシート状部材において前記第１翼と前記容器との間に位置する折り曲げ線と、前記第２翼の旋回動作を高めるための、前記第１柔軟なシート状部材において前記第２翼と前記容器との間に位置する第２折り曲げ線をさらに含む請求項２に記載の発明品。
【請求項８】
前記第１翼の旋回動作を高めるための、前記第１翼と前記容器との間に位置する折り曲げ線と、前記第２翼の旋回動作を高めるための、前記第２翼と前記容器との間に位置する第２折り曲げ線をさらに含む請求項１に記載の発明品。
【請求項９】
前記第１翼の前記下側表面に取り付けられた第１パッドと、前記第２翼の前記上側表面に取り付けられた第２パッドとをさらに含む請求項１に記載の発明品。
【請求項１０】
前記第１および第２翼の内側表面に取り付けられた単一のパッドをさらに含み、前記パッドはこれを通過して前記分配出口に隣接する小さな通路を含む請求項１に記載の発明品。
【請求項１１】
延展可能な物質のための包装塗布具組合せ品であって、
一対の柔軟シートを含み、前記柔軟シートは共に結合されて、その間に延展可能な物質を閉じ込めるための空洞領域と塗布具とを画定し、
前記塗布具は一対の端部フラップを含み、前記フラップの１つは前記対における前記柔軟シートの１つの一端に一体的に備えられ、前記フラップの他の１つは前記対における前記柔軟シートの他の対応する一端に一体的に備えられ、前記フラップは互いに重なり合った状態で位置し、包装塗布具組合せ品は、さらに、
この一対のシート間に一体型に形成された１つの破れ易いクロージャを含み、前記クロージャは常態では閉じており、開いたときには前記空洞領域から前記フラップへの通路を提供し、この通路を通じて延展可能な物質を少なくとも前記フラップの間の領域中にしぼり出すことができ、これによって、前記柔軟シートを互いに向けて圧すために加えられる十分な指圧は、前記閉じ込められた延展可能な物質を前記空洞領域から前記通路を通ってしぼり出して、前記フラップに接触させるために十分な延展可能な物質にかかる圧力を増加させる、
包装塗布具組合せ品。
【請求項１２】
前記一対の柔軟シートがサーマルシームによって互いに接合され、前記サーマルシームは前記シートの所定区域の周りに境界線を画いて前記空洞領域の全部に境界を画定し、前記空洞領域に開口部を画定し、前記開口部は前記破れ易いクロージャによって閉じられている請求項１１に記載の発明品。
【請求項１３】
前記破れ易いクロージャが第２サーマルシームを含み、前記第２サーマルシームは前記第１サーマルシームと隣接して前記境界における前記開口部を閉じ、前記第２サーマルシームは山形部分をさらに含む請求項１２に記載の発明品。
【請求項１４】
前記空洞領域が第１および第２区画室を含む請求項１１に記載の発明品。
【請求項１５】
前記一対のフラップの前記フラップの各々に付随する一対の吸収性パッドをさらに含み、前記一対の吸収性パッドの第１パッドは前記フラップの１つの内側表面に取り付けられ、前記一対の吸収性パッドの第２パッドは前記フラップの他の内側表面に取り付けられて、前記パッドを対向した関係に置く請求項１１に記載の発明品。
【請求項１６】
前記フラップの各々の内側表面に取り付けられてこの間の空間を架橋する吸収性パッドをさらに含み、前記吸収性パッドは小さな中央開口部を含む請求項１１に記載の発明品。
【請求項１７】
前記柔軟シートが付属のフラップの近位端に折り曲げ線を含み、前記第１フラップが第１方向に外向き旋回でき、前記第２フラップが反対方向に外向き旋回できるようにして、広い塗布具表面を準備する請求項１１に記載の発明品。
【請求項１８】
前記対の前記フラップの各々がその内側表面に吸収性パッドを含む請求項１１に記載の発明品。
【請求項１９】
前記破れ易いクロージャが、前記閉じ込められた物質によって前記破れ易いクロージャに加えられる所定レベルの圧力に応じて破れて開く請求項１１に記載の発明品。
【請求項２０】
前記破れ易いクロージャが、前記フラップを反対方向に引っ張ることに応じて開く請求項１１に記載の発明品。
【請求項２１】
互いに重なり合った実質的に同一構造の一対の柔軟なシート状部材を含み、柔軟なシート状部材は永続的に共に締め付けられて、この間に、延展可能な物質を閉じ込めるための内部領域と、延展可能な物質をしぼり出すための前記内部領域への破れ易い封止と、さらに塗布具を画定し、前記塗布具は前記延展可能な物質を表面の上に延展するための一対の翼を含む、
包装塗布具組合せ品。
【発明の詳細な説明】
【０００１】
（技術分野）
本発明は、手持ち式の分配塗布具に関し、特に例えば食品香辛料、防腐薬剤、塗剤、軟膏とクリーム、美顔用化粧クリーム、および光沢剤、ワックス、接着剤、塗料といった技術製品などの、適度に少量の成分をさまざまな表面上に手で蓄えて延展するための柔軟包装容器に関する。
【０００２】
（背景技術）
ケチャップ、マヨネーズ、マスタードなどの適度に少量の食品香辛料およびトッピングが、今日ではプラスチック被覆またはフォイルを積層した薄膜から形成された小サイズの比較的平らな柔軟容器または包装で販売されることが多く、この場合、使用者は包装を裂いてしぼり出し、サンドウィッチやその他の食品の上に香辛料を付ける。使用後は、開いた包装は包装された成分の残り物すべてと共に屑かごの中に便利に棄てられる。このような平らなパックに利用可能な広く知られているもう１つの製品は、おなじみの「ハンディワイプ」紙タオルである。この柔軟フォイル包装には、手洗い用流体で湿らして折り曲げられた紙タオルが入っている。使用者はフォイルを裂いて開け、紙タオルを取り出して広げ、タオルで手を拭いて、食後に手をきれいにする。このような小型化された包装の例は当然、他に多く思い浮かんでくる。微小サイズの包装は、貯蔵と破りの便利さ、よりすぐれた滅菌をもたらし、こぼれや無駄は少なくなる。
【０００３】
出願人が注目する前述に関するある特定の例が特許文献に見られるが、これは「Ｄｉｓｐｅｎｓｉｎｇ  Ｃｏｎｔａｉｎｅｒ  ｆｏｒ  ａ  Ｌｉｑｕｉｄ  ｏｒ  Ｐａｓｔｅ−Ｌｉｋｅ  Ｓｕｂｓｔａｎｃｅ（液体またはペースト状物質用の分配容器）と題する１９９０年５月１日にＨｅｉｊｅｎｇａに譲渡されたＵ．Ｓ．４９２１１３７であり、このような容器を記載し、さまざまな構造を記載する多くの以前の特許を参照している。Ｈｅｉｊｅｎｇａの容器は比較的平らなパックで、その側壁は分配可能な成分のための貯蔵領域を画定する予備成形した柔軟ブリスタと予備成形出口管とを含み、すべては出口管を開くための使用者用の引裂き用ストリップを有する比較的平らな包装の中にある。その後の指によるブリスタの圧縮によって、成分は出口管からしぼり出される。
【０００４】
上述の微小サイズ包装のための基本要素は、互いに重ねられて縁部の周りで共にヒートシールされて液体密封内部空洞を確定する一対の柔軟フォイルシートを含む。このような微小サイズの平形包装およびこれらの構造と作製の詳細は、包装技術の当業者には周知である。
【０００５】
上述の包装に対して認識される共通のテーマは、これらの包装が閉じ込められた成分を分配し、いったん分配すると表面にわたってこれを延展しないことを意図している。このような包装から分配したマスタードをサンドウィッチの上に延展しようとして、マスタードを塗るのにナイフに手を伸ばす代わりに使用済包装を不適切に使用したときに、マスタードで指を汚した読者諸君は、このだらしない結果についてよくご存じであろう。
【０００６】
しかしながら、はるかに大きなサイズの容器を使用する他の努力分野において見られるように、容器と塗布具の機能を単一のユニット、すなわち分配塗布具に一体化することは有益である。この組合せは、壁紙接着剤などの塗布可能な成分を貯蔵するための容器と、分配された接着剤を表面に塗布するための、単一ユニットに一体化された手持ち式塗布具の両方に便利さを提供する。こうして壁紙接着剤は販売のために店の陳列棚の中に置かれ、購入者は手が汚れないように組み込まれた塗布具で接着剤を塗布することができる。前述の形式の分配塗布具は大型であり、一般的に６オンス以上の成分を保持する。
【０００７】
１９９４年１０月１１日に譲渡されたＵ．Ｓ．Ｄ−３５１３３８および１９９６年１１月２０日に譲渡されたＵ．Ｓ．５５７７８５１に示された、Ｂｏｒｄｅｒ−Ｅａｓｅ塗布としてＲｏｍａｎ  Ａｄｈｅｓｉｖｅｓ，Ｉｎｓ．によって市販された出願者の以前の発明は一例である。この容器と塗布具との組合せは、円筒状容器の端部に取り付けられたスポンジ式ローラ塗布具を使用している。いったんカバーを開けて接着剤を容器から出すと、塗布具はこの開口部を覆って容器の端部に再び取り付けられる。片手で容器を掴んでその側部をしぼることによって、接着剤は容器の出口からスポンジ塗布具の中へしぼり出される。ここで手持ち式容器部分は塗布具の取っ手として役立ち、これによって使用者はスポンジ塗布具を表面の上で転がすことができ、この上に接着剤を延展する。使用者は、接着剤に接触する必要もまたブラシを洗う必要もなく、小さな区域に接着剤を塗布することができる。
【０００８】
もう一例は、１９９５年１０月２４日に譲渡されたＵ．Ｓ．Ｄ−３６３３７７に示された「Ｐａｉｎｔｅｒ’ｓ  Ｎａｉｌ  Ｈｏｌｅ  Ｆｉｌｌｅｒ」としてＰａｉｎｔｅｒ’ｓ  Ｐｒｏｄｕｃｔｓ  Ｉｎｃで市販されている出願人の以前のスパックル組成物分配塗布具である。この場合、吸収性スポンジパッドがスパックル組成物を入れた円筒状プラスチック管の端部に取り付けられる。パッドを取り除くと、スパックル組成物は壁の上にしぼり出される。パッドは管の上に再び取り付けられ、この管はここではパッドのための取っ手として役立ち、パッドは塗布されたスパックルを滑らかにするために使用される。このような組合せのさらなる例は、出願人の特許Ｕ．Ｓ．Ｄ−３８６３５４、Ｄ−３８７５６３、Ｄ−３９８２３５に見られる。
【０００９】
出願人には周知になっているように、微小サイズ包装容器における上述の無能またはこれに対する機能的制限は、「Ｐａｃｋａｇｅ  ｗｉｔｈ  Ｓｐｒｅａｄｅｒ  ｆｏｒ  Ｓｐｒｅａｄａｂｌｅ  Ｍａｔｅｒｉａｌ（延展可能な物質のためのスプレッダを有する包装）」と題する１９８７年３月１０日Ｃａｍｐｂｅｌｌに譲渡されたＵ．Ｓ．４６４８５０６に見られる、このような包装から分配される延展可能な成分、特にバターに関しても別の人によって以前それとなく観察されている。Ｃａｍｐｂｅｌｌの特許は、異なる物理的特性の壁から構成されて、壁の１つは柔軟でその他の壁は剛性であり、スプレッダとして役立つ包装を記載している。しぼることによって、使用者はバターをスプレッダの上にしぼり出し、それから使用者は例えばこのスプレッダを使用してバターをパンの薄切り片の周りに延展する。
【００１０】
興味はあるが、Ｃａｍｐｂｅｌｌの構造はその本質において、同様の延展可能な食品成分のために使用される包装よりも高価であることは明らかである。スプレッダ部分が剛性であるために、スプレッダの適用が制限されているように見え、平らでなく波状の表面の上またはスプレッダの剛性縁部によってひっかかれる可能性のある表面の上では、バター以外の延展可能な成分については便利さが低い。さらに、Ｃａｍｐｂｅｌｌの構造は単一の延展表面を含むだけである。スプレッダは本質的に包装と同じ軸方向に延びているので、パンの薄切り片などの片手で持ち上げて同時に別の手はスプレッダを移動させるために使用することのできる小さな表面の上に成分を延展するために適当であるように見える。しかし異なる適用例、例えば面積が広くて手で持ち上げることができない壁に塗料を延展するためには適当であるとは思えない。このスプレッダによって壁の一部分に塗料を外見上たとえ不十分に延展しながら、使用者の手掌は壁の別の部分をこする可能性がある。理由が何であっても、Ｃａｍｐｂｅｌｌの構造は出願人がよく訪れるどの食料品店にも見かけず、したがって市場では成功しなかったようである。
【００１１】
１つの利点として、本発明は、上記の困難性の１つまたは複数に出会わないさまざまな実施形態において小サイズの柔軟包装の中に、容器とスプレッダの両方の機能を組み合わせて、広範囲のさまざまな応用分野に適合することができる。
【００１２】
したがって、本発明の目的は、組み込まれた塗布具を含む、単位適用量の成分を入れることができる新しい微小サイズの包装を提供することである。
【００１３】
本発明の別の一目的は、作製が安価で使用が容易であるユニタリ包装塗布具組合せ品を提供することである。
【００１４】
本発明の別の目的は、さまざまな環境において平面、非平面、および波形の種々の表面を塗布することを意図する、さまざまな粘性の多様な延展可能な製品に使用することのできる基本的な容器塗布具組合せ品を提供することである。
【００１５】
本発明のさらにもう１つの目的は、閉じ込められた成分を破れ易い表面の上に延展することができ、このような表面をひっかいたり傷つけたりしない容器塗布具組合せ品を提供することである。
【００１６】
さらに追加的な目的は、われわれのポケットに携行することができる小サイズの一体型包装塗布具組合せ品を提供することである。
【００１７】
（発明の開示）
上述の目的と利点にしたがって、新しい容器塗布具組合せ品が、延展可能な物質を閉じ込めるための内部領域と、容器と、前記物質を延展するための一対の延展可能な翼すなわち塗布具とを含む、一体型組立品として形成される。
【００１８】
本発明によって、実質的に同じ構造の一対の柔軟フォイルシートによる組合せが形成され、これらのフォイルシートは重なり合い、部分的に共に結合されて、延展可能な物質を閉じ込めるための内部領域とこの物質を表面上に延展するための塗布具との両方の間にこれを確定する。内部領域の側部を圧すことによって、閉じ込められた流体成分は塗布具および／または望みの表面の上にしぼり出される。それから、容器部分をフィンガグリップとして使用して、塗布具を表面の周りに手で動かして分配された成分を意図する表面の上で延展する。フォイルシート間の接合は十分に強く、過度の力でフラップを引き離すことによってシートが分離することを防止する。また延展可能な成分を望みの出口を通ってのみしぼり出すことができる。
【００１９】
本発明による特定の態様によれば、フォイルシートは従来技術の包装におけるものと同じヒートシールによる熱層によって互いに接合され、特定の用途に応じて１つまたは複数の区画室を画定する。区画室への出口に位置するシートの端部分を直面させて、塗布具として機能する翼またはフラップを準備する。
【００２０】
ある実施形態では、塗布具は、柔軟フォイルシートの端部で形成されて、この端部は旋回が自由で、反対方向外向きに揺動できる直面するフラップを形成し、この間に容器部分への出口が位置する。さらに代替実施形態では追加的な特徴として、シートの塗布具部分は布状の吸収性パッドを含む。パッドはフォイル表面の代わりに軟らかい艶だし表面を提供し、および／またはしぼり出された液体を吸い込んでこれを表面に塗布するスポンジのような作用を提供する。本発明は、包装側部をしぼること、塗布具フラップを引くこと、裂くこと、または単に貯蔵された位置から塗布具を広げることを含む、さまざまな実施形態において分配出口を開くために使用される種々の新しい手段を包含する。
【００２１】
上記の経過において単に簡単に概述した本発明の構造特徴と共に、本発明の前述および追加の目的と利点は、当業者には、添付の図面に示す図解と共に本明細書に記載した好ましい実施形態の詳細な説明を読むことによってさらに明らかになろう。
【００２２】
（発明を実施するための形態）
さまざまな図面を簡単に見ると明らかなように、本発明は、構成、構造、および特徴が異なる多くの実施形態に適合する。より複雑な実施形態の１つでこの説明を始めて、まず図１を参照すると、新しい包装塗布具１の好ましい一実施形態が上面図として図示され、これは密封されたラップの中に包装されている。図示のように、包装塗布具は、この実施形態では全体的に矩形の部分によって示された容器部分３を含む。次いでこの容器部分は、それぞれ成分２Ａと２Ｂで満たされたものとして示されている２つの個別の区画室３Ａおよび３Ｂに区分されている。翼またはフラップ５が容器部分３の狭い端部に一体的に形成されている。フラップは半円形で、表面を捕まえるような付形隅部は含まない。さらに、フラップと容器部分との間に折り曲げ線１３が含まれているのが好ましい。
【００２３】
点線で輪郭が画かれた薄い吸収層またはさまざまな名称で呼ばれるパッド７が、フラップ５の下側表面に取り付けられている。パッドは、「バンドエイド」という商標の接着性バンデージに採用される種類の吸収性で軟らかな木綿材料にすることができ、またはフェルトなどの材料で作ることもできる。
【００２４】
塗布具パックの反対側または後方側は、対応するパックがフラップの上表面に位置することを除いて、上側の構造的にほぼ同じ鏡像になっている。容器塗布具１を縮尺通りではない側面として示す図２では、容器塗布具の構造は実質的に中心軸に対して対称であることがわかる。この図でさらによく示しているように、容器部分３は縁部に沿って共に接合した前方壁パネル１６と後方壁パネル１８との間に形成されている。図２からは明らかでないかもしれないが、側面図では包装は満たされていないように平らに見える。しかし、包装は図１と一致して成分２Ａ、２Ｂによって満たされているとして図示されているので、包装の厚さは膨張している。閉じ込められた延展可能な材料のために、包装の前方と後方のパネルおよび側面は横向きに膨らんでいる。
【００２５】
また、容器塗布具は比較的薄くて、その厚さはその長さと幅に対して全く小さい。小さな厚さは本質的に比較的平らな形状を包装に与える。このような形状によって、店の棚に陳列して卸売りおよび／または顧客に小売りするために、多数の容器塗布具を積み重ねて数ダースの量を一箱に包装することが可能になる。
【００２６】
図示するように、フラップ５の下に第２フラップ６が位置する。フラップ６と容器部分との間に折り曲げ線１４がある。第２フラップも、パッド７に類似の構造を有する吸収性パッド８を含み、パッド７とパッド８は向かい合っている。
【００２７】
この実施形態における容器部分３とフラップ５、６は、２つのウェブまたはさまざまな名称で呼ばれる共にヒートシールされた柔軟包装用フォイル材料のシートから適当に形成されており、これについては後で詳細に説明する。フラップ５、６は、共にヒートシールされていないシートの端部分で形成されるが、これはフラップが図に点線で示すように使用時には分離されて使用中は広がって離れるからである。後述するように別の実施形態では、フラップは引裂き用ストリップによって一時的に接合され、フラップが使用の前に広がって離れることを防止し、大きな箱に複数のユニットを便利に包装するために比較的平らな形状を維持する。
【００２８】
図１に戻ると、包装材料の２枚のシートまたはパネルが容器部分の外縁部または周辺に沿って熱可塑性材料をヒートシールすることによって、比較的浅い小袋を形成する。ヒートシールは、シールまたは出願人による呼び名では点線１５で示すサーマルシームを作る。二重点線で示す区画室仕切りシール１７は、サーマルシーム１５の対向部分の両端間を延び、容器部分３を個別区画室に分離し、区画室の出口を閉じるための出口シール１９もまた熱処理で形成されている。
【００２９】
サーマルシーム１５は確実に強力である。これは液密であり、過度の圧力下においてもひび割れや破れに強い。硬い表面を手で圧した場合でも通常の使用では破壊することはない。過度の力でフラップ５および６を引っ張って離しても破れることはない。マスタードおよび他の香辛料を分配するために平らな包装を使用した者は、接着の強度になじみがあるはずである。上述のサーマルシームは区画室部分３の周囲のほとんど全体にわたって延び、図における下端中央に１つの小さな通路または開口部を残す。通路は容器の出口である。この出口通路の幅は容器部分３の幅より小さく、一般的に容器の幅の一部分であり、どの実用的実施形態のためにも選択される確かな幅は延展可能な成分の物理的特性に依存するが、例えば容器の幅の半分以下である。例として、粘性の低いアルコールは単に小さな孔を必要とするが、粘性がもっと高い香辛料マスタードは比較的大きな孔を必要とする。
【００３０】
サーマルシーム１５における小さな通路は出口シール１９、すなわち山形を呈する従来の破れやすいシールによって閉じられている。手で破ることはほとんど不可能であるサーマルシーム１５とは異なり、この山形シールは容易に破ることができる。区画室間のシール１７は、２つの成分を混合してから混合物を分配することができるために、このシールをまず破ることが必要であるから、出口シール１９ほど強くはない。
【００３１】
パッド７、８は、容器塗布具がアルコールなどの粘性が非常に低くて自由に流れる液体を保持することを目的とする用途のために、含まれることが好ましい。このような用途では、容器の出口は、液体が自由に流出するのではなく多少噴出できるようにするため、直径が非常に小さくて、ほとんどピンホールとしなければならない。容器を開くと、容器領域からしぼり出されたアルコールは少なくとも一部分がパッドに吸収され、延展塗布具パッドを肌に対してこすることによってアルコールはパッドから延展する。これによって、包装塗布具は殺菌拭き物として使用することができる。
【００３２】
柔らかいパッドも、自動車ボディ表面の一部を、ボディ塗料をひっかくことなく処理して艶だししようとする、自動車艶だし剤を保持するための用途にも含まれ、また包装された内容物が接着剤である場合にも含まれる。本明細書で後述するように、他の実施形態では吸収性パッドは省略されて、延展可能なフラップのみを使用して塗布具の機能を提供する。
【００３３】
再び図１を参照する。無菌性を確保するため、および／または意図しないまたは偶発的な漏れに対する追加的防衛として、および／または使用の前にフラップが広がって離れることを防ぐために、追加的特徴として、上述の容器塗布具１は浅くて比較的平らなバッグを形成するプラスチックまたはセロファンのラッパー１０の中に密封されている。ラッパーは、点線１２に沿って点列状の切れ目によって形成された引裂き用ストリップ端部１１を含む。上記の組合せ品におけるこの使用とは別に、上述の形式のプラスチック・ラッパーと自動包装機におけるこの使用が包装技術分野で周知であり、これはこれ以上説明する必要はない。包装された成分を使用しようとするとき、引き剥がし用ストリップを取り除いて、容器塗布具をラッパーから引き出す。
【００３４】
包装塗布具の主要本体は、よく知られている包装用の柔軟金属フォイル材料、一般的には金属フォイルおよびプラスチックの積層品で形成され、これについては本明細書で後述する。容器塗布具の壁は薄くて柔軟であり、容器部分を１つの指と親指との間でしぼることによって流体で満たされると容易に一時的に変形する。
【００３５】
使用するには、包装１０から取り出し、図３に示すようにそれぞれの手の親指と人差指との間で包装塗布具１の両側をしぼって、柔軟な壁を一時的に変形させ、閉じ込められた成分に対して十分な圧力を加え、この成分が区画室間の区分シール１７を破るようにし、個別の内容物の混合を可能にする。包装の両側をさらにしぼって練ることにより、成分は十分に混合される。容器部分の壁を透明にすると、成分に着色材料を含めて、完全に混合されたことを包装の両側を通じて見えるようにする。
【００３６】
このような混合に続いて、もっと大きな力で包装をしぼって、閉じ込められた成分が山形シール１９を押し破るように強制すべきで、これによって出口通路を開いて、例えば図４に部分的に示すように内容物が包装からしぼり出されるようにする。適当に、親指と他の指との間で包装の両側をしぼって包装壁を共に曲げると、内部空洞のサイズは減少して、閉じ込められた材料２が分配シール１９を押し破るかまたは破るのに十分な高い圧力を内容物にかけて、これによって材料は容器の分配出口を開く。
【００３７】
成分の粘性は十分に高いものと想定すると、分配された成分はフラップ５、６を互いに逆方向に旋回させて、これらを多少広げて互いに離す。使用者は容器部分３を指で保持してから、成分を望みの表面に対して押圧し、フラップをさらに広げて互いに離し、図５に示すように成分を表面に延展する。図示するように、フラップの長さと幅はこの塗布機能を果たすには十分な大きさを有する。それから使用者は広がったフラップを表面に沿って前後および／または上下に動かして、分配された成分を表面の周りに延展する。
【００３８】
上述の双区画室容器は、二成分内容物を活性化させるために組み合わせなければならない個別成分のための貯蔵場所として役立つ。すぐに思い出される１つの用途は強力な接着剤であるエポキシ樹脂である。一般的に、この接着剤は２個の容器に入れて販売され、１つの容器はエポキシを含み、他の容器は硬化剤を含み、有用な接着剤を形成するために共に分配して混合しなければならない。過去において住宅内の目的のために少量のエポキシ接着剤を使用したことのある住宅所有者には、新しい容器塗布具組合せ品に対する利点が認識される。混合は包装の中で完遂され、混合ボウルおよび撹拌器の必要性をなくし、この部分は小さくて、個別の一定の大きさに決められた適用量であるから、閉じるための開いた容器はない。エポキシを指に接触する可能性なしに、望みの表面上に分配して塗ることなしに、別の計画が到来するまでに乾燥してしまうことのあるような大量の使い残し接着剤を貯蔵することはない。
【００３９】
当業者には認識されるように、本発明は、大抵は既存の柔軟包装用材料と組立工程を使用して実現することができる。上述の実施形態および本明細書に挙げる下記の実施形態も、材料とホット・アイロンなどの手持ち加熱棒があれば手で作ることができることを認識すべきである。しかしながら大量製造には自動化された機械組立が好ましい。
【００４０】
図１の容器塗布具の説明を助ける図６〜９を参照する。包装用膜材料２枚のウェブが２１、２３、自動機械によって一対のロールから重なり合った関係で分配され、図６に示すように望みの形状に切られる。それから２枚のウェブはヒートシールされて、従来型のヒートシール装置を使用して適当に完成された図７に示すように、外側熱シール１５、区分熱シール１７、および山形出口熱シール１９を同時に形成する。これによって２枚のウェブは、個別の内部区画室３Ａ、３Ｂおよび添付の一体型端部フラップ５、６を含むパネル１６と１８との間に形成された容器部分３に変換され、フラップ６はこの図では見えない。容器部分とフラップとの間に折り曲げ線１３を含める場合は、これもまたヒートシール機械によって材料の中に直線棒を押し込んで永久溝を形成する。
【００４１】
作製工程の次のステップでは、図８に示すように、１つのフラップ５をひっくり返して両フラップ５、６の内側表面を露出させる。吸収性パッド７、８は適当に熱硬化性接着剤によってそれぞれのフラップに接着固定する。それからフラップ５をひっくり返すかまたは図９に示すように回転させて正規の位置に戻す。
【００４２】
代替案として、図８に示すステップにおいて、単一のより大きな吸収性パッド７′をパッド７、８の代わりにすることもでき、このパッドは両フラップの内側表面を実質的に覆うには十分に大きく、容器の分配用山形出口１９と整列して位置する中央開口９を含む。このようなユニタリパッドを両フラップに接着固定して、これらのフラップの間を架橋し、半分に折る。
【００４３】
次に従来型のニードルフィラーを使用して、２つの区画室を成分材料２Ａ、２Ｂで満たす。周知のように、香辛料およびその他の流体成分による平らな包装の充てんは中空ニードルによって実施されることが多い。ニードルは包装材料の側部を貫いて刺し孔をあけ、形成された内部空洞の中にニードルを通じて流体を分配する。ニードルを引き戻すと、充てん機はヒートシールによって小さな刺し孔を封止する。この機械は包装技術分野ではよく知られており、さらに説明する必要はない。
【００４４】
本発明の第２実施形態を図解する図１０を参照する。便宜上、先の実施形態の要素を識別するために使用した同じ番号をこの実施形態に現れる類似の要素に使用するが、アクセント符号付の番号である。ここで包装１′は単一の区画室３′のみを含む。図１の実施形態のように、このユニットは、互いに重なり合ってサーマルシームによって共に結合された可塑化金属フォイル積層物の２つの実質的に同じシートで形成されている。標準的な熱シール技法によって付着されたサーマルシーム１５′は区画室部分３′の周りに延び、この経路において、ユニットの一端部の中央点に位置するサーマルシール、山形シール１９′、破れ易いクロージャまたはシールとさまざまな名で呼ばれるものによって中断されている。山形シールは、分配出口の役目をするサーマルシーム１５′における開口部を閉じる。サーマルシーム１５′はユニットの後端部から延び、側部に沿ってユニットの長さの約８０％にわたって延び、それから方向を変えて、フォイル積層品の長さの残り端部分を封止せずに残し、折り返しできるようにする。
【００４５】
ユニットは、シート材料などに形成された折り曲げ線１３′と、この図では見えない別のシート上の同様な折り曲げ線とを含む。折り曲げ線はフラップがより容易に曲げられることを助ける。しかし先の実施形態におけるように、本発明の代替実施形態では、折り曲げ線は望むならば省くこともできる。概して言えば、選択された材料が十分に曲げやすい場合には、折り曲げ線を含めて助けとすることなく、広い円弧にわたってフラップを旋回または広げて離すことが可能である。しかしながら組合せ品のために選択された材料がより厚い場合には、さらに剛性となるので、折り曲げ線を含めることが望ましい。
【００４６】
本発明の融通性を実証するために、上述の実施形態は、先の図における吸収性パッド７、８などの図１の実施形態において使用される吸収性パッドを含まない。しかしながら、ユニットを例えばアルコールまたは艶だし流体などの低粘性の成分を貯蔵するためとする場合には、吸収性パッドを含むことが好ましい。
【００４７】
この実施形態における２枚のフラップ、すなわち図１１に見えるフラップ５′と下に位置するフラップ６′の外端部は、引き剥がしシールストリップ２０によって共に保持されている。引き剥がしストリップはフラップを、製品で満たされて箱の中に多数あるので、このようなユニットの包装をさらに便利にするために、フラップを適所に、本質的に直線かつ平行に延ばして保持する。ストリップは、フラップ端部の狭い縁部分を共に接着剤または熱処理で接合して、フラップの端部によく知られた引き剥がし線２２を組み込むことによって、フラップの端部においてシート材料の中に統合して形成される。使用者はフラップを互いに離すためにストリップ２０を単に引裂くだけであり、これによってフラップは互いに独立してそれぞれの折り曲げ線の周りに旋回することができる。
【００４８】
図１１は図１０の実施形態を断面図で示す。フラップ５′、６′は本質的に平行に延びているが、遠位端において引き剥がしタブ２０によって共に連結されている。各フラップの近位端は容器部分３′の端部と一体化している。前方パネルと後方パネルの縁部を共に連結する容器部分の周囲の周りに延びて、容器の内部空洞を画定するサーマルシーム１５′は、図では部分的に見える。容器部分は成分２′で満たされている状態で示されている。
【００４９】
図１２に側面図で示されているように、容器部分３′の両側は、ユニットが分配可能な成分によって満たされている状態で示されているので外側に膨らんでいる。引き剥がしタブ２０を除去すると、フラップ５′、６′を図１３に部分斜視図で示すように手で広げて互いに離すことができる。容器内への通路を閉じる破れ易い山形シール１９′は、中央に位置するものとして示されている。点線で示すように、使用される包装用材料が比較的大きな度合の曲げ性と柔軟性を有するならば、フラップ６′はさらに下向きに旋回できる。
【００５０】
先の実施形態におけるように、山形シール１９′を、包装の両側を共に押圧して破り、シールを押し破って開いた出口を通じて成分をしぼり出す。代替案として、フラップを手で広げて互いに離すときに、山形シールの位置付けを僅かに変えることによって、山形出口シールを破って引き剥がすことができる。山形シール１９′をフラップで締められている領域の中に僅かに延ばすことによって、山形シールの前方部分は２枚のフラップの間に熱処理によって形成される。山形シールは比較的弱くて意図的に破れ易く作られているので、フラップが引き離されると、この引張り力はシールのこの部分を取り外し、これによって出口を開く。先に記したように、フラップを引き離しても、サーマルシームの強度のためにフラップに過度の引張り力を使用して包装を引き剥して離すことは道理上可能ではないので、包装は無傷のままである。
【００５１】
一見したところ、上述の代替案は外面的には、Ｊｏｈｎｓｏｎ  ＆  Ｊｏｈｎｓｏｎ社によって市販されているような接着性バンデージを包装するために使用される「引きはがし式」包装と類似して見える。想起されるように、このようなバンデージ包装は、互いに重なり合って接合されてバンデージ区画室と２枚のフラップを形成する、一般に耐湿性または不浸透性紙組成物の２枚のストリップ間に形成され、フラップは一端から延びて包装の「引き離し」タブとして使用される。タブを引き離すことによって、２枚のストリップは離されて包装を引き剥がし、容易に接着性バンデージに完全アクセスすることができる。あと知恵によってわかった多少の類似性に注目する他に、本発明は上述の説明とは、構造、目的、機能において異なっていることが容易に認識される。
【００５２】
図１０〜１３による上述の実施形態は、図８に示す吸収性パッドを取り付けるステップが無視されることを除いて、図６〜９に則して図解説明されている同じ技法を使用して作製されることが好ましく、引き剥がしストリップ２０を形成するステップが図７に示すステップに含まれる。開くときは、これを先の実施形態について説明したものと同じ方式で使用する。
【００５３】
容器出口通路と容器への山形シール１９′は、この実施形態と次の実施形態では中央に位置付けられているが、これらの要素は代替案として本発明の範囲を逸脱することなく容器の端部に沿った別のもっと好ましくない場所に位置付けることもできることは、当業者には認識される。図示された位置付けは、分配された成分がフラップの側縁から少量落ちる可能性が少ないことを保証する。
【００５４】
さらに、上述および次の実施形態における出口通路の軸は直線であって容器の主軸と同軸であることが好ましいことは認識される。こうして、成分が容器からの圧力でしぼり出されると、成分の流れはもっぱらユニットの前方に向かうはずである。しかしながら当業者には認識されるように、通路の軸は、例えば、成分の流れがフラップの片側または他の側に向くことを好み場合には、本発明の範囲を逸脱することなく代替実施形態において別の方向を向くこともある。
【００５５】
次に、本発明のさらに別の実施形態を図解する図１４を参照する。図１０の単一区画室の実施形態と同様に、容器塗布具２５は、互いに重なり合ってサーマルシームによって共に結合された可塑化金属フォイル積層品の２つの実質的に同じシートで形成されている。標準的な熱シール技法によって付着されたサーマルシーム２７はユニットの区画室部分２６の周りに延び、この経路において、ユニットの一端部の中央点に位置する小さな出口または通路２９によって中断されている。サーマルシーム２７はユニットの後端部から延び、側部に沿ってユニットの長さの約８０％にわたって延び、残り端部分を封止せずに残し、フラップに対して自由にし、先の実施形態における場合のように、上フラップ３１と下フラップ３２を画定するが、この図では、下にあるフラップ３１が左下の切欠部分に一部分見えるだけである。
【００５６】
各フラップはそれぞれ吸収性パッド２８、３０を含み、パッド３０が左下の切欠部分に一部分示されている。これらのパッドは図１の実施形態におけるようにフラップの内側表面に取り付けられているので、パッドは互いに向かい合う。代替案として、先の実施形態に関して説明した中央開口を含む単一のもっと大きなパッドを２枚のパッドの代わりにすることもできることは認識される。
【００５７】
比較的浅いサック、または液嚢、またはバッグ３３と、さまざまな名で呼ばれるものが、２枚のフォイル積層シートの間に画定された区画室２６の内部領域の中にある。バッグ３３は、ユニットの他の部分と同じ方式で、すなわち周縁部をヒートシールして閉じた区画を形成することによって形成される。さらにバッグは、外部シートを共にヒートシールする前に目的とする成分で満たされる。バッグ３３はバッグの出口として使用される小さなネック３４を含む。ネックは通路２９を通って延び、対向するフラップ３１の領域内に突き出ている。ネックは、破れ易いシール、特に引き剥がしタブ３５によって端部で閉じられている。
【００５８】
この実施形態では、柔軟フォイル材料の２枚のシートは共に融合されて内部区画室を画定するが、この区画室は液密である必要はない。内部区画室は液密であるもう１つの容器を包含する。この実施形態の「ダブルサック」構成は自動車艶だし剤などの成分を目的としている。
【００５９】
使用するために、使用者は対向するフラップを側方に広げて、引き剥がしタブ３４にアクセスしてこれを除去し、サック３３を開く。それから容器の両側を（図４に示すように）指で圧して、液体艶だし剤をサック３３からパッド２８、３０の上にしぼり出し、それぞれの関連フラップ３１と３２を広げて離す。それから使用者は容器の両側を掴んで、先に図５に示したように艶だし剤を自動車の表面に塗布して、つや出し剤を表面の周りに延展パッドによって延展する。この方法で、自動車上塗りの小さな修繕はすばやく片付けることができ、分配塗布具は棄てられる。
【００６０】
上述の構造は図１、３の実施形態よりも高価であるから、特定の構造を必要とする用途のためには好ましい。例えば、最低コストの取り組み方は、微小サイズの包装に現在使用されている既存の柔軟フォイル積層材料を使用することである。しかしながら、特定の延展可能な成分が材料と不都合に反応することがわかった場合には、包装用材料の使用を廃するのではなく、記載の実施形態によって可能になる非反応性材料である個別バッグの中に材料を収容することがより経済的であることがわかるであろう。
【００６１】
本発明の好ましい実施形態の先に記載した説明を読むことによって、当業者は、より高価な構造であって本発明の範囲内にある上述の実施形態の利点および特徴を全く持っていないという理由であまり好ましくない、追加の実施形態を想起されるはずである。
【００６２】
例として、上述の構造が提供するものよりも高い剛性の塗布具取っ手が要求されることもある。このような用途を満たすために、上述の構造を改造して、より高い剛性特性を少なくとも片側に組み込むことができる。より堅固な取っ手の塗布具を含む代替実施形態を断面図で示す図１５を参照する。図示するように、容器塗布具３６は容器部分を含み、この容器部分は、先に説明した図１０の実施形態におけると全く同じく、サーマルシームと共に熱シールされた柔軟フォイル材料でできた２枚のシート３７Ａ、３７Ｂの間に形成された内部空洞３７を画定して山形出口シールを含む。これは一端に２枚の平行に延びる塗布具フラップ３８、３９を含む。先の実施形態の場合におけるように、容器部分は、図で見るにはサイズが小さすぎるが容器出口とこの出口のための破れ易い山形シールクロージャとを含み、延展可能なフラップ３８、３９の間の領域に通じている。
【００６３】
図解を目的とするこの断面図では、左側のシートは、容器が延展可能な成分で満たされた状態にあるように、外側に膨れて示されている。しかし、内部空洞３７を包装された成分で満たす前に左側のシートはもう１つのシートに対面して置かれることが読者には思い出される。上面図では、この実施形態は図１０の実施形態と同じに見えるはずである。
【００６４】
比較的厚い層またはパネル４０が右壁３７Ｂに接合されている。このパネルは熱可塑性材料の厚い、多分壁３７Ｂより２〜５倍厚い層からなることができる。この壁にパネルは熱処理または接着剤で接合されている。
【００６５】
この実施形態では、破れ易いクロージャ部材が、上述の実施形態のほとんどにおけるように、親指と他の指との間で容器部分の両側を圧すことによって破られる。しかしこの構造では、一方の壁３７Ａのみが柔軟であり、剛化された壁は多少アンビルとして使われる。すると貯蔵された延展可能な成分は、側壁を指で圧し続けることによって区画部分から延展可能なフラップ間の領域へしぼり出される。指で圧す作用は、発明の背景において参照したＣａｍｐｂｅｌｌの特許で記載した作用に類似していると認められる。
【００６６】
上述の構造は塗布具のためによりすぐれた取っ手を提供するが、製作のために追加のステップと材料が要るので、製造が高価になることを認識すべきである。したがって、このような構造はもっと堅固な塗布具取っ手を必要とする特定の用途のためにのみ好ましい。
【００６７】
パネル補強材の他に、もっと経済的な方法で取っ手をもっと剛性に構成することができる。図１６を参照すると、より堅固な塗布具取っ手を含む別の代替実施形態が断面図で示されている。図示するように、容器塗布具４１は容器部分を含み、この容器部分は、先に説明した図１０の実施形態におけると全く同じく、サーマルシームと共に熱シールされた柔軟フォイル材料でできた２枚のシート４４Ａ、４４Ｂの間に形成された内部空洞４４を画定して山形出口シールを含む。またこれは、一端に２枚の平行に延びる塗布具フラップ４３、４５を含む。先の実施形態の場合におけるように、容器部分は、図で見るにはサイズが小さすぎるが容器出口とこの出口のための破れ易い山形シールクロージャとを含み、延展可能なフラップ４３、４５の間の領域に通じている。容器部分の左側に沿って延びるサーマルシーム４４ｃの部分がこの図に見える。
【００６８】
やはり図解を目的とするこの断面図では、左側のフォイルシート４４Ａは、容器が延展可能な成分で満たされた状態にあるように、外側に膨れて示されている。しかし、内部空洞４４を包装された成分で満たす前に左側のシート４４Ａはもう１つのシート４４Ｂに対面して置かれることが読者にはやはり思い出される。また上面図では、この実施形態は図１０の実施形態と同じに見えるはずである。
【００６９】
図示するように、右側の壁４４Ｂとフラップ４５は、左側のフォイルシート積層品よりも大きな厚さの、３〜５倍厚いことが適当であって、したがって物理特性においてはより高い剛性を有するフォイルシート積層品から形成されている。したがって、容器部分の片側に対する増加した壁厚は、別の側よりもたわみ性と柔軟性が低く、この点に関して、先の実施形態の補強パネル４０に本質的に匹敵する。
【００７０】
上述の構造の結果として、フラップ４５は実質的にフラップ４３よりも厚い。例えば右の点線で示す位置にフラップ４５を旋回移動させることを助けるために、折り曲げ線４４Ｄが含まれている。厚さが大きいので、折り曲げ線がなければフラップ４５を旋回させることは困難になるが、フラップ４３には折り曲げ線は必要ない。フラップの厚さは同一ではないが、塗布具の作業を妨げることはないはずである。
【００７１】
この実施形態では、破れ易いクロージャ部材が、先の実施形態におけるように、親指と他の指との間で容器部分の両側を圧すことによって破られる。しかしこの構造では、一方の壁４４Ａが壁４４Ｂよりもかなり柔軟であり、剛化された壁は多少アンビルとして使われる。すると貯蔵された延展可能な成分は、側壁を指で圧し続けることによって区画部分からフラップ４３、４５間の領域へしぼり出される。指で圧す作用は、発明の背景において参照したＣａｍｐｂｅｌｌの特許で記載した作用に類似していると認められる。
【００７２】
上述の構造もまた塗布具のためによりすぐれた取っ手を提供するが、図１６の実施形態よりも製造が安価であっても、２枚のシートの１つで材料も厚さが増すので追加の材料が必要となり、したがって図１〜１０の実施形態よりも製造が高価になることを認識すべきである。したがって、このような構造はもっと堅固な塗布具取っ手を必要とする特定の用途のためにのみさらに好ましい。
【００７３】
上述の実施形態は、表面形状は矩形で、代替バージョンでは広い場合と狭い場合があり、フラップの形状は丸い角を有する矩形またはほとんど半円形であると認められる。当業者には認識されるように、本発明は、本発明の範囲を逸脱することなく別の形状でも作製することができる。例として、説明した組立品の追加形状を図１７、１８に図示する。図１７に示すように、容器塗布具４６では、容器４７と翼４８、４９の両方は上表面の形状を半円形にすることができ、組合せでは円形に見える。図１８の容器塗布具組合せ品５０では、容器部分５１と翼５２、５３は準菱形で、翼は丸くなった外点を含む。さまざまな許容形状は販売者に、包装製品のさまざまな販売促進に本発明の実施形態を採用することを提案する。
【００７４】
次に、本発明のさらに別の実施形態５４を図示する図１９を参照する。先の実施形態におけるように、包装は柔軟な熱可塑性材料を含む２枚のパネル５５、５６の間に形成され、パネルは出口５７を除いて、点線５８で示すようにサーマルシームによって外縁に沿って共に重なり合った関係で熱シールされ、一対の前方に延びる塗布具フラップ５９、６０と共に内部包装区画室を形成し、各フラップはパネル５５、５６のそれぞれと一体化されて形成されている。この塗布具包装では、包装の分配端におけるサーマルシーム内の小さな空所５７が、フラップ間で壁の中央に位置し、包装された成分のための出口として使用される。この実施形態に独特であるが、陰線で示したフラップ５９、６０は互いに折りたたまれて、包装パネル５５の１つの頂部に圧され、これによって出口５７を塞ぐ。
【００７５】
先の実施形態と全く同じく、フラップ５９、６０の内部表面は吸収性パッドを含み、望むならば露出したままにすることもできる。しかしながら、この説明を簡単にするために、この実施形態では吸収性パッドを図示しない。
【００７６】
接着剤被覆テープ６１を包装の分配端の周りに巻きつけて、幅全体にわたって横方向に延ばし、フラップ５９、６０をパネル５５に対して確保する。テープの長さは、包装の幅に対して、適所に固定されたときにテープフラップ６３の上に位置するテープの一端がテープフラップ６２の上に位置するテープの他端に重なることができるような長さである。テープの幅は塗布具フラップ５９、６０の長さよりも僅かに長くて、テープの側端が下にあるパネル５５の一部分ならびに下にある塗布具フラップ６０の表面に直接接触できるようにする。
【００７７】
テープ接着剤は適切な保護シールを提供するようなもので、分配出口５７を保護し、折りたたまれたフラップ５９、６０と共に出口を確実に閉じたままにし、さらに、正常な使用者が閉じ込められた成分を包装から解放できるようにテープを容易に剥ぎ取るのに十分に弱い接着力または接合を提供する。この種の接着剤は、なじみの「Ｐｏｓｔ−Ｉｔ（登録商標）」メモ用紙に使用されている。
【００７８】
図２０の斜視図に示すように、テープ６１の上にある端部６３の端縁部には接着剤がないので、僅かに持ち上がって、使用者にテープを容易に掴んで包装から引き離すための表面を提供する。この斜視図に図示するように、包装は、包装の中に閉じ込められているとして示す成分に適応するために６４において僅かに膨らんで図示されている。望むならば、テープを図示したものよりも幅広く作って、図に示すフラップ６０の取り付け端部で露出した折り目も覆って、この端部においてテープに張出し縁部分を作ることもでき、このテープの張出し縁部分は互いに封止することができる。
【００７９】
上述の実施形態は容易に製造される。図２１は、上記の実施形態について図６〜９に則して先に説明した手順を通じて達成される、重なり合った関係で取り付けられた２枚のパネル５５、５６と前方に延びる一体型塗布具フラップ５９、６０による組立ステージにおける塗布具包装を示す。左側と右側は、これらの縁部に沿ってサーマルシームによって取り付けられ、パネルの前縁部は同様に熱処理によってフラップ５９、６０の基部に沿って取り付けられるが、異なる点は、小さなギャップが先に説明したが図では見えない出口５７をそこに形成することで、折り曲げ線６５は、含まれるならばフラップの基部に形成され、吸収性パッドは、含まれるならばフラップ内部の対向面の上に取り付けられる。この段階で、パネル５５、５６の後縁部は封止されないままであり、先の実施形態による状況のように、製造の後の段階において閉じ込められた成分を挿入できるようにする。
【００８０】
次に、図２２に図示するように、両フラップ５９、６０は２つのパネルの１つの頂部を覆って折り曲げられる。パネルの折り目は出口５７を覆うかまたは閉鎖する。それから、内部表面が接着剤６６で被覆されているテープ６１は折り曲げられて、図２３に示すように２つの垂直に向いたフラップ６２、６３を形成する。それから、図に示す形成された包装の前縁と整合したテープの片縁によって、テープ６１の水平部分は下パネル５６の表面に対して圧される。それからテープフラップ６２は折り曲げられて下塗布具フラップ６０の外側表面を覆い、上包装パネル５５の表面の一部分に達し、このすべてにテープフラップは接着する。もう１つのテープフラップ６３は折り曲げられて下フラップ６０の外側表面の他部分を覆い、上包装パネル５５の表面の他部分に達し、テープフラップ６２の部分を覆いこのすべてにテープフラップは接着する。これは塗布具包装の分配端部を効果的に封止する。
【００８１】
塗布具包装に包装しようとする流体成分の適用量は、まだ封止されていない底端部の中に噴出される。それから底端部は熱処理によって封止され、先に図２０に示した充てんされた塗布具包装を完成する。図２０は再度参照する。
【００８２】
使用者がこの塗布具包装の実施形態から成分を分配して延展することを望むとき、使用者はテープフラップ６３を引っ張り上げて、テープ全体を他の要素から引き離す。テープを引っ張ることは、少なくとも下フラップ６０をその位置から離して上フラップ５９の頂部に引っ張ることを助けることにもなり、理想的には摩擦によって両方のフラップが前方に延在する広がった位置に移動する。代替案として、使用者は両フラップを前方広がり位置に自分の指で動かすことができる。これによって分配出口は露出されて開く。
【００８３】
この際、この実施形態は先の実施形態と非常によく似た機能を示す。使用者は指で包装の両側を圧すことによって、包装から望みのフラップまたは表面の上に成分の一部分をしぼり出す。フラプは広がって離れ、成分を表面の周りに容易に延展することができる。
【００８４】
上述の実施形態を説明したように人手で完成することはできるが、作製と充てんは、この目的に容易に適合された自動包装機械によって完成されることが好ましい。
【００８５】
本発明の上述の実施形態は、同じ金属フォイル積層品、一般的には既存の柔軟包装において見られるアルミニウムフォイルを使用する。包装技術分野の当業者は、利用可能な金属フォイル積層品を認識しており、これには、商品識別によって挙げると、蒸着ポリエステルまたはＥＶＡであるシールフォイル１０１、蒸着ポリエステル／ポリエステル金積層品であるシールフォイル１０２、ホワイトクラフト／金属フォイル／ポリエステル積層品であるシールフォイル１２２、ブラウン／クラフト／金属フォイル／ポリエステル積層品であるシールフォイル１２５ｍｓ、およびクラフト、金属フォイル、ポリ、ポリプロピレン、クリア、ポリ、金属フォイルの逐次層になったナイロン／ポリ／金属フォイル／ポリであるシールフォイル３６０が含まれる。上述の実施形態の実用的な形はシールフォイル３６０フィルム積層品から作られることが好ましい。
【００８６】
包装構造が異なる成分を何種類でも包装することを意図することは認識される。製造に使用されるフォイル積層品は、貯蔵された成分と不都合な反応をしないものでなければならない。包装された成分は包装材料を腐食または侵食させてはならない。例として、食品香辛料を包装しようとする場合には、包装材料は業界で試験されて食品香辛料用に認可されたものである。
【００８７】
包装塗布具組合せ品の容器部分の上側と底側によって画定される表面積は最小限、少なくとも人の親指の平均サイズに適応するサイズでなければならない。それは、その情報は医学当局によって作表されるからであり、多分世間で遭遇すると思われる最大の人の親指サイズほどになる。したがって、フラップを含む包装塗布具の実施形態は１．２７×２．５４ｃｍ（１／２×１インチ）〜１５．２４×１５．２４ｃｍ（６×６インチ）またはこれ以上のサイズになると予想される。
【００８８】
容器出口のサイズは、閉じ込められる延展可能な材料の粘性と、成分をしぼり出すために望まれる指圧に応じて異なる。所定の指圧では、糖蜜や蜂蜜などの粘性の高い流体ではクロージャの通路をかなり大きくすることができ、アルコールなどの粘性の低い流体では通路を最小限にすることができる。
【００８９】
延展可能な材料はあらゆる粘性の液体および半流動体、高いまたは低いゾルおよびゲルおよび／またはペーストであることを理解されたい。例として、これには、美顔用化粧クリームおよび局所薬、バッグ用撥水剤、靴クリーム、油やバターなどの種々の食品調味料およびマスタードやケチャップなどのトッピング、日焼けオイルおよび日焼け止めクリーム、足クリーム、塗料、塗料クリーナおよび塗料着色剤、眼鏡クリーナ、髪用着色剤、髪用脱色剤、化粧品および香水、アロエベラゲル、カーペットクリーナおよび染料、革用コンディショナ、自動車用の虫および道路タール除去剤、ワックス、掻き傷除去剤およびタイヤ補修剤、自動車ブレーキ用グリース、オーブンクリーナおよびその他のクリーナ、および接着剤が含まれる。組合せ品に含まれる吸収性パッドと共に、容器塗布具はガラスクリーナ、撥水剤、アルコール、および抗菌液を含むこともできる。これらはアルコール配合パッドを形成する。
【００９０】
上述の実施形態において、容器塗布具の側面は外見上透明または平面として図示されている。しかし本発明の実際の実施形態では、広告用データ、商標識別、および現在微小包装用に存在するようにその他の印刷された情報および着色を含むことが期待される。
【００９１】
本発明は、保護機能を務めるフラップによって追加の利点を提供する。柔軟な包装からマスタードなどの香辛料を分配したことのある人は、マスタードがスリット出口から強制的に出されているときマスタードのすべてがサンドウィッチの肉の上に落ちないことに気が付くことが多い。この代わりに、マスタードの一部分は後方に向かって巻き上がり、包装の側部に巻き付き、ねらいを誤ったマスタードは使用者の親指に接触することが多い。そこで使用者は自分の手を洗わなければならない。本発明によって後ろ向きに巻くマスタードは、広がる翼またはフラップによって使用者の親指に達することを阻止される。
【００９２】
本発明の好ましい実施形態の上述の説明は、当業者が本発明の製作と使用をできるようにするためには十分に詳細である。しかし、上述の目的のために示した要素の詳細は、本発明の範囲を限定しようとするものではないことははっきり理解され、これらの要素に等価な物およびその他の変更物もすべて本発明の範囲内であり、これらのすべてはこの明細書を読むことによって当業者には明らかになろう。したがって、本発明は添付する特許請求の範囲の完全な範囲内にあると広く解釈すべきである。
【図面の簡単な説明】
【図１】  本発明の好ましい実施形態を示す図である。
【図２】  図１の実施形態の側面図である。
【図３】  図１の実施形態および本明細書にある他の実施形態を操作する技法を示す図である。
【図４】  図１の実施形態および本明細書にある他の実施形態を操作する技法を示す図である。
【図５】  図１の実施形態および本明細書にある他の実施形態を操作する技法を示す図である。
【図６】  図１の実施形態を製造する好ましい手順におけるステップを部分的に示す図である。
【図７】  図１の実施形態を製造する好ましい手順におけるステップを部分的に示す図である。
【図８】  図１の実施形態を製造する好ましい手順におけるステップを部分的に示す図である。
【図８Ａ】  図８のステップにおいて図示された構成部分の代わりの構成部分を示す図である。
【図９】  図１の実施形態を製造する好ましい手順におけるステップを部分的に示す図である。
【図１０】  本発明のもう１つの実施形態を示す図である。
【図１１】  図１０の実施形態の断面図である。
【図１２】  図１０の実施形態の側面図である。
【図１３】  図１０の実施形態の操作準備完了した部分斜視図である。
【図１４】  分配可能な成分が浅い袋に閉じ込められている、本発明のさらに別の実施形態を示す図である。
【図１５】  壁剛化要素を組み込んだ代替実施形態の断面図である。
【図１６】  異なる厚さと剛性の材料で形成された壁とフラップとを有する別の実施形態の断面図である。
【図１７】  円形および菱形の実施形態を示す図である。
【図１８】  円形および菱形の実施形態を示す図である。
【図１９】  本発明のさらに別の実施形態の頂部を描いた図である。
【図２０】  図１９の実施形態の斜視図である。
【図２１】  さまざまな組立ステージにおける図１９の実施形態の斜視図である。
【図２２】  さまざまな組立ステージにおける図１９の実施形態の斜視図である。
【図２３】  さまざまな組立ステージにおける図１９の実施形態の斜視図である。
【図１】
0003824864.tif 000002
【図２】
0003824864.tif 000003
【図３】
0003824864.tif 000004
【図４】
0003824864.tif 000005
【図５】
0003824864.tif 000006
【図６】
0003824864.tif 000007
【図７】
0003824864.tif 000008
【図８】
0003824864.tif 000009
【図８Ａ】
0003824864.tif 000010
【図９】
0003824864.tif 000011
【図１０】
0003824864.tif 000012
【図１１】
0003824864.tif 000013
【図１２】
0003824864.tif 000014
【図１３】
0003824864.tif 000015
【図１４】
0003824864.tif 000016
【図１５】
0003824864.tif 000017
【図１６】
0003824864.tif 000018
【図１７】
0003824864.tif 000019
【図１８】
0003824864.tif 000020
【図１９】
0003824864.tif 000021
【図２０】
0003824864.tif 000022
【図２１】
0003824864.tif 000023
【図２２】
0003824864.tif 000024
【図２３】
0003824864.tif 000025